(57)【要約】【課題】  気流を衝突させて送風領域を広げることができるプロペラファンを提供すること。【解決手段】  プロペラ状の羽根を複数枚設けたプロペラファンを、そのプロペラファン回転軸に対して、回転軸側部分と反回転軸側部分に羽根を設け。前記回転軸側部分と前記反回転軸側部分に設けた羽根を風の送り出す方向が反対になるように設け構成した。【選択図】図３
2020105976.tif 000002
【特許請求の範囲】
【請求項１】
プロペラ状の羽根を複数枚設けたプロペラファンであって、
そのプロペラファンの回転軸に対して、回転軸側部分と反回転軸側部分に羽根を設け、
前記回転軸側の羽根と反回転軸側の羽根はプロペラ状を呈し、
前記回転軸側部分と前記反回転軸側部分に設けた羽根を風の送り出す方向が反対になるように設けたことを特徴とするプロペラファン。
【発明の詳細な説明】
【技術分野】
【０００１】
本発明は、扇風機などに用いられるプロペラファンに関するものである。
【背景技術】
【０００２】
扇風機等の送風装置において、扇風機の気流に直接さらされることは人体に悪い影響を及ぼすことが報告されている。このような事情から扇風機からの気流同士を一旦衝突させ人体に送風したいというニーズがある。
【０００３】
また扇風機等の送風装置において出来るだけその送風領域を広げたいというニーズがある。扇風機においては、従来からその送風領域を拡大するために扇風機に羽根の首振機能を持たせ、その機能により送風領域を広げている。しかしながら送風領域のある場所における風量は周期的に変動することとなる。
【発明の概要】
【発明が解決しようとする課題】
【０００４】
これまで送風装置からの気流を一旦衝突させて、気流の到達領域の拡大を実現したものは無い。本発明は、このような事情に鑑みてなされたものであり、気流を一旦衝突させて送風領域を広げることができるプロペラファンを提供することを課題とする。
【課題を解決するための手段】
【０００５】
上記課題を解決するため、第１発明のプロペラファンは、以下の特徴を有する。
プロペラ状の羽根を複数枚設けたプロペラファンであって、
そのプロペラファンの回転軸に対して、回転軸側部分と反回転軸側部分に羽根を設け、
前記回転軸側の羽根はプロペラ状を呈し、
前記回転軸側部分と前記反回転軸側部分に設けた羽根を風の送り出す方向が反対になるように設けた。
【０００６】
第1発明の羽根車によれば、以下の効果が発現する。
【０００７】
第１発明のプロペラファンは、回転軸側部分（回転軸周辺部分）と反回転軸側（外周部分）とで送風される向きが異なるように羽根が配置されている。従って反回転軸側の羽根から送風される気流は回転軸側部分の羽根により生じる気流により内側に引き寄せられる。このように気流は一旦中央部に引き寄せられ、その後また広がる気流を形成することができる。これにより送風領域が拡大しプロペラファンを扇風機等に応用した場合に扇風機の首振り機能を無くすことができるなどの効果が発現する。
【０００８】
さらにこのようなプロペラファンを使用した送風装置において、反回転軸側の羽根が送り出す気流の向きと反対側に、回転軸と同軸で、回転軸側の羽根により送り出させる気流が反回転軸側に案内されるような導風板を設けた構成とすることもできる。これにより本発明のプロペラファンの効果は更に顕著になる。尚導風板には、送風装置の後側からの空気が取り込めるように適度な場所に貫通孔を設けておく必要がある。
【図面の簡単な説明】
【０００９】
【図１】本発明のプロペラファンを使用した送風装置の全体図。
【図２】本発明のプロペラファンの正面斜視図。
【図３】本発明のプロペラファンの背面斜視図。
【図４】本発明のプロペラファンの正面図。
【図５】本発明のプロペラファンの背面図。
【図６】本発明のプロペラファンの作用効果の説明図。
【図７】従来のプロペラファンの全体図。
【発明を実施するための形態】
【００１０】
本発明の実施形態を図により説明する。
図１は本発明のプロペラファンを使用した送風装置の全体図、図２は本発明のプロペラファンの正面斜視図、図３は本発明のプロペラファンの背面斜視図、図４は本発明のプロペラファンの正面図、図５は本発明のプロペラファンの背面図、図６は本発明のプロペラファンの作用効果の説明図、図７は従来のプロペラファンである。尚図面の説明において正面及び背面とは、図１の正面側と背面側を示している。
【００１１】
＜１＞本発明の送風装置の概要
本発明のプロペラファンを使用した送風装置（以下、扇風機という。）の概要を図１により説明する。扇風機１の全体構成は、プロペラファン２を除き公知の扇風機とほぼ同じである。扇風機のプロペラファン２は本発明品を使用している。３は、ファン駆動モータＭを支える支柱、４は扇風機の台座、５は導風板である。プロペラファン２は、本発明品を使用しているので首振機能は不要である。ここで導風板５は、扇風機１の背面に設けられたものであり、球面状または円錐状の形状としたものである。その凹面は、外側羽根部３０の羽根が送風する方向に向いている。また空気が自在に流通できるように多数の穴等を設けている。この穴は、導風板の外側羽根部３０に相当する部分に設けることが好ましい。本発明のプロペラファン２の内側羽根部の羽根により生ずる正面側から背面側への気流を外側羽根部へ戻す機能を有するものである。
【００１２】
＜２＞本発明のプロペラファンの構成
図２から図５により本発明のプロペラファン（以下、ファンと略称する）について説明する。本発明のプロペラファン２は、中央部２０、外側羽根部３０、内側羽根部４０、及び環状部分５０からなる。各部分は射出成型等で一体成形される。またその材質は、ＡＳ樹脂、ＡＢＳ樹脂、ＰＡ樹脂またはＰＰ樹脂が使用される。
【００１３】
以下、各部について説明する。中央部２０は、本発明のファン２の駆動モーターＭとの接続部分である。外側羽根部分３０は、環状部分５０の外側に複数枚の羽根３１が設けられている。また内側羽根部分４０は、中央部２０と環状部分５０との間に複数枚の羽根４１が設けられている。羽根３１と羽根４１は、プロペラ状を呈し、ファンが回転すると送風される気流は逆向きになるように成形されている。
【００１４】
＜３＞本発明のファンの作用効果
図６により本発明のファンの作用効果について説明する。本発明品のファン２は、上述した構成である。図７は、従来のプロペラファン９を示している。本発明のファン２は、本実施例の図面では、外側羽根部は正面側から見て時計方向に回転する。ファン２の回転方向は、外周羽根部の回転方向であると定義する。ファン２が回転すると、外側羽根部の羽根により空気を扇風機１の正面側に送風する気流１が発生する。一方内側羽根部の羽根は外側羽根部の羽根と逆方向に回転するので、扇風機１の正面側の空気を背面側に送風する気流２が発生する。気流２は、扇風機１の正面側の空気を背面側に押し出すことになり、外側羽根部の羽根により発生した気流１の一部（内側羽根部に近い部分）は扇風機１の回転軸側に引き寄せられ気流３を生じる。この気流３は、気流2に合流し更に大きな気流４となる。
【００１５】
気流２と気流４は、ファン２の背面側に設けた導風板５に衝突しその傾斜面（凹面）に沿って外周羽根部の背面側に移動する。これにより気流１は更に大きくなり気流１１となる。このような繰り返しにより気流１１は扇風機１の回転軸側に引き寄せられ、気流同士の衝突が起こり気流５となる。更に衝突により生じた気流５は、外側に拡散する気流６となる。
【００１６】
気流５は、一度衝突した気流であり人体に当たっても悪影響を及ぼすことは少ない。また気流５は、拡散して気流６になりおり扇風機１の送風領域を広げるための首振り機能は不要となる。
【符号の説明】
【００１７】
１      送風装置（扇風機）
２      プロペラファン（本発明品）
３      支柱
４      台座
５      導風板
２０    中央部
３０    外側羽根部
３１    羽根（外側羽根部）
４０    内側羽根部
４１    羽根（内側羽根部）
５０    環状部分
Ｍ      駆動モーター
【図１】
2020105976.tif 000003
【図２】
2020105976.tif 000004
【図３】
2020105976.tif 000005
【図４】
2020105976.tif 000006
【図５】
2020105976.tif 000007
【図６】
2020105976.tif 000008
【図７】
2020105976.tif 000009